(57)【要約】【課題】組み込み時の削れ、バリ等の発生を緩和し、削れ、バリ等が発生しても操作感を維持することができるスイッチ装置を提供する。【解決手段】第１嵌合部を有する第１支持部１２を備え、第１嵌合部を回転中心として揺動操作が可能な操作ノブ１０と、第１嵌合部と嵌合して操作ノブ１０を回転支持する第２嵌合部を備えた第２支持部３１を有するスイッチ本体部３０と、を有し、第１支持部１２又は第２支持部３１は、スイッチ本体部３０に組み込む際に弾性変形可能とされ、また、第１嵌合部又は第２嵌合部の組み込み終了端部側の角部に干渉緩和部を有してスイッチ装置を構成する。【選択図】図２
2018081825.tif 000002
【特許請求の範囲】
【請求項１】
第１嵌合部を有する第１支持部を備え、前記第１嵌合部を回転中心として揺動操作が可能な操作ノブと、
前記第１嵌合部と嵌合して前記操作ノブを回転支持する第２嵌合部を備えた第２支持部を有するスイッチ本体部と、を有し、
前記第１支持部又は前記第２支持部は、前記スイッチ本体部に組み込む際に弾性変形可能とされ、また、前記第１嵌合部又は前記第２嵌合部の組み込み終了端部側の角部に干渉緩和部を有する、ことを特徴とするスイッチ装置。
【請求項２】
前記干渉緩和部は、前記角部に施す面取り部である、ことを特徴とする請求項１に記載のスイッチ装置。
【請求項３】
前記操作ノブは、前記スイッチ本体部から、前記第１嵌合部と前記第２嵌合部が組み込み終了端部側で当接する付勢力を付与されている、ことを特徴とする請求項１又は２に記載のスイッチ装置。
【請求項４】
前記第１嵌合部は、穴部であり、前記第２嵌合部は、円筒突起部である、ことを特徴とする請求項１から３のいずれか１項に記載のスイッチ装置。
【発明の詳細な説明】
【技術分野】
【０００１】
本発明は、スイッチ装置に関する。
【背景技術】
【０００２】
従来の技術として、操作ノブの揺動によりスイッチ操作を行なうスイッチ装置が知られている（例えば、特許文献１参照。）。このスイッチ装置は、光を透過可能な表示部が設けられた操作ノブと、操作ノブに下方へ突設されたレバーと、操作ノブの下方に設けられた基板と、基板上に設けられた固定接点およびＬＥＤと、操作ノブの直下のレバー近傍に、基板に対して垂直に設けられた円筒軸と、レバーと係合し、円筒軸を中心に回転可能なストライカと、ストライカに設けられた可動接点と、ＬＥＤの光を導くライトガイドとを備える。操作ノブの揺動により、レバーがストライカを回転させて、可動接点が固定接点と接離することによりスイッチのオンオフ動作を行なう構成とされている。
【０００３】
このスイッチ装置は、スイッチ本体部に設けられた各支持軸を操作ノブの内側に設けられた各嵌合穴に嵌め込む工程により、操作ノブとスイッチ本体部が組み立てられる。これにより、操作ノブがスイッチ本体部に支持軸で揺動可能に支持されるスイッチ装置が構成される。
【先行技術文献】
【特許文献】
【０００４】
【特許文献１】特開２０１３−１８２８３４号公報
【発明の概要】
【発明が解決しようとする課題】
【０００５】
しかし、特許文献１のスイッチ装置によれば、上記説明した操作ノブをスイッチ本体部に組み込む際に、支持軸又は嵌合穴の角部が干渉して、削れ、バリ等が発生する場合がある。これにより、操作ノブの揺動操作時の操作抵抗が増加して、操作感の低下を引き起こす場合があるという問題があった。
【０００６】
従って、本発明の目的は、組み込み時の削れ、バリ等の発生を緩和し、削れ、バリ等が発生しても操作感を維持することができるスイッチ装置を提供することにある。
【課題を解決するための手段】
【０００７】
［１］上記目的を達成するため、第１嵌合部を有する第１支持部を備え、前記第１嵌合部を回転中心として揺動操作が可能な操作ノブと、前記第１嵌合部と嵌合して前記操作ノブを回転支持する第２嵌合部を備えた第２支持部を有するスイッチ本体部と、を有し、前記第１支持部又は前記第２支持部は、前記スイッチ本体部に組み込む際に弾性変形可能とされ、また、前記第１嵌合部又は前記第２嵌合部の組み込み終了端部側の角部に干渉緩和部を有する、ことを特徴とするスイッチ装置を提供する。
【０００８】
［２］前記干渉緩和部は、前記角部に施す面取り部である、ことを特徴とする上記［１］に記載のスイッチ装置であってもよい。
【０００９】
［３］また、前記操作ノブは、前記スイッチ本体部から、前記第１嵌合部と前記第２嵌合部が組み込み終了端部側で当接する付勢力を付与されている、ことを特徴とする上記［１］又は［２］に記載のスイッチ装置であってもよい。
【００１０】
［４］また、前記第１嵌合部は、穴部であり、前記第２嵌合部は、円筒突起部である、ことを特徴とする上記［１］から［３］のいずれか１に記載のスイッチ装置であってもよい。
【発明の効果】
【００１１】
本発明によれば、組み込み時の削れ、バリ等の発生を緩和し、削れ、バリ等が発生しても操作感を維持することができるスイッチ装置を提供することができる。
【図面の簡単な説明】
【００１２】
【図１】図１は、本発明の実施の形態に係るスイッチ装置の全体斜視図である。
【図２】図２（ａ）は、本発明の実施の形態に係るスイッチ装置のＡ−Ａ断面図であり、図２（ｂ）は、図２（ａ）におけるＢ−Ｂ断面図であり、図２（ｃ）は、図２（ａ）におけるＣ部拡大図である。
【図３】図３（ａ）から図３（ｃ）は、図２（ａ）におけるＣ部領域を示し、操作ノブをスイッチ本体部へ組み込む工程を順に示すもので、図３（ａ）は、操作ノブの穴部とスイッチ本体部の円筒突起部が、組み込み開始端部側で当接を開始した状態の図２（ａ）におけるＤ部部分断面図であり、図３（ｂ）は、操作ノブの穴部とスイッチ本体部の円筒突起部の組み込み途中状態の部分断面図であり、図３（ｃ）は、操作ノブの穴部とスイッチ本体部の円筒突起部が、組み込み終了端部側で当接した状態の部分断面図である。
【発明を実施するための形態】
【００１３】
（本発明の実施の形態）
本発明の実施の形態に係るスイッチ装置１は、第１嵌合部を有する第１支持部１２を備え、第１嵌合部を回転中心として揺動操作が可能な操作ノブ１０と、第１嵌合部と嵌合して操作ノブ１０を回転支持する第２嵌合部を備えた第２支持部３１を有するスイッチ本体部３０と、を有し、第１支持部１２又は第２支持部３１は、スイッチ本体部３０に組み込む際に弾性変形可能とされ、また、第１嵌合部又は第２嵌合部の組み込み終了端部側の角部に干渉緩和部を有して構成されている。
【００１４】
図１は、本発明の実施の形態に係るスイッチ装置の全体斜視図である。この図１に示すように、スイッチ装置１は、スイッチ本体部３０に、操作ノブ１０、２０が装着されている。スイッチ本体部３０には、他の操作部も装着されているが、以下では、操作ノブについて説明する。
【００１５】
図１に示すように、操作ノブ１０は、回転軸ＣＬを中心として、図示したＤ方向に揺動可能な状態でスイッチ本体部３０に支持されている。操作ノブ２０は、対称軸ＣＳに対して操作ノブ１０と対称なノブ形状とされて配置されている。スイッチ装置１は、操作ノブ１０、操作ノブ２０を２個ずつ対称に配置して構成され、例えば、車両のウインドウ開閉操作のためのウインドウスイッチ装置に適用される。
【００１６】
以下では、図１に示す１つの操作ノブ１０について、説明する。
【００１７】
図２（ａ）は、本発明の実施の形態に係るスイッチ装置のＡ−Ａ断面図であり、図２（ｂ）は、図２（ａ）におけるＢ−Ｂ断面図であり、図２（ｃ）は、図２（ａ）におけるＣ部拡大図である。
【００１８】
（操作ノブ１０）
図２（ａ）に示すように、操作ノブ１０は、指等により操作されるノブ本体１１と、ノブ本体１１から下方向に突出して設けられた第１支持部１２と、さらに下方へ向かって形成されたスイッチ駆動部１３から概略構成されている。なお、スイッチ駆動部１３は、第１支持部１２からでなく、ノブ本体１１から下方へ向かって形成される構成であってもよい。
【００１９】
操作ノブ１０は、例えば、ＡＢＳ等の樹脂により形成されている。上記の構成において、操作ノブ１０は、ノブ本体１１、第１支持部１２、及びスイッチ駆動部１３が一体に形成されているものとして説明する。
【００２０】
ノブ本体１１は、図２（ａ）に示すように、ノブ上部１１ａ、外側面１１ｂ、中央側面１１ｃから構成され、内側に第１支持部１２、スイッチ駆動部１３等を収容する有底箱状（ノブ上部１１ａが底に相当する）とされている。
【００２１】
ノブ本体１１の略中央部には、スイッチ本体部３０側から付勢されるバネ５１の上端５１ａを係止する係止穴１１ｄが形成されている。
【００２２】
第１支持部１２には、図１に示したＤ方向の揺動を可能とする回転軸ＣＬの回転中心となる、第１嵌合部である嵌合穴１２ａが形成されている。この嵌合穴１２ａは、後述するスイッチ本体部３０に形成された第２嵌合部である円筒突起部３１ａと回転可能に嵌合する。
【００２３】
また、第１支持部１２には、図２（ａ）に示すように、嵌合穴１２ａの下部に、組み込み開始時の作業性をよくするために、傾斜面１２ｂが形成されている。
【００２４】
本実施の形態では、スイッチ駆動部１３は、第１支持部１２の下部において、下方へ向かって形成されている。スイッチ駆動部１３は、その先端部１３ａがスイッチ本体部３０の内部３０ａにまで延伸して形成され、操作ノブ１０の揺動操作（スイッチ操作）により、スイッチ本体部内部のスイッチ接点を駆動してスイッチのオンオフ動作を行なう。
【００２５】
（スイッチ本体部３０）
図２（ａ）に示すように、スイッチ本体部３０は、基板、スイッチ接点、コネクタ等を収容する内部空間である内部３０ａを備えた筒状あるいは箱状とされ、上部には、操作ノブ１０を回転可能に支持するための、第２支持部３１が形成されて概略構成されている。
【００２６】
スイッチ本体部３０は、例えば、ＡＢＳ等の樹脂により形成されている。上記の構成において、第２支持部３１はスイッチ本体部３０と一体に形成されているものとして説明する。
【００２７】
第２支持部３１は、図２（ａ）に示すように、スイッチ本体部３０の上部３０ｂから上方に向かって突出して形成されている。この第２支持部３１の先端部には、第２嵌合部である円筒突起部３１ａが形成されている。円筒突起部３１ａは、第１支持部１２の嵌合穴１２ａに向かって突出して、組み立て完了時に嵌合穴１２ａと回転可能に嵌合する。
【００２８】
第２支持部３１は、ＡＢＳ等の樹脂により形成されているので、操作ノブ１０をスイッチ本体部３０に組み込む際に弾性変形可能とされる。なお、操作ノブ１０側の第１支持部１２もＡＢＳ等の樹脂により形成されているので、操作ノブ１０をスイッチ本体部３０に組み込む際に、相対的に弾性変形可能である。本実施の形態では、操作ノブ１０をスイッチ本体部３０に組み込む際に、主に、第２支持部３１が弾性変形するように設計されている。
【００２９】
円筒突起部３１ａは、嵌合穴１２ａと嵌合する外周面が円筒形状であればよく、したがって、円柱突起であってもよい。
【００３０】
円筒突起部３１ａは、図２（ｂ）に示すように、断面が円形とされている。円筒突起部３１ａと嵌合穴１２ａは、組み立て完了時に回転可能なすきまばめとされる。
【００３１】
図２（ｃ）において、円筒突起部３１ａと嵌合穴１２ａが嵌合した状態において、円筒突起部３１ａの上端部と嵌合穴１２ａの上端部を組み込み開始端部Ｅ１とする。また、円筒突起部３１ａの下端部と嵌合穴１２ａの下端部を、組み込み終了端部Ｅ２とする。後述するように、操作ノブ１０をスイッチ本体部３０に組み込んでいく際には、嵌合穴１２ａの角部１２ｃが、まず円筒突起部３１ａの組み込み開始端部Ｅ１側に接触し、組み込み終了端部Ｅ２側に当接してから組み込みを完了する。
【００３２】
円筒突起部３１ａには、図２（ｂ）、（ｃ）に示すように、上側である組み込み開始端部Ｅ１側に傾斜面３１ｂが形成されている。また、下側である組み込み終了端部Ｅ２側には、円筒突起部３１ａの角部に、干渉緩和部として、面取りＣＨが施されている。なお、干渉緩和部としては、面取りの他に、Ｒ（アール）面等であってもよい。また、面取りＣＨは、９０°の面取りの他、任意の角度による面取りでもよい。
【００３３】
図２（ａ）に示すように、スイッチ本体部３０の上部３０ｂには、バネ支持部材５０が装着されている。このバネ支持部材５０には、バネ５１の下端５１ｂが係止されている。操作ノブ１０がスイッチ本体部３０に組み込まれた状態において、バネ５１は弾性力により、操作ノブ１０に対して図２（ａ）に示す付勢力Ｆを付与する。この付勢力Ｆにより、操作ノブ１０は指等による揺動操作の後に、中立位置に自動復帰する。
【００３４】
上記の付勢力Ｆにより、円筒突起部３１ａと嵌合穴１２ａは組み込み終了端部Ｅ２側で当接する。したがって、付勢力Ｆは操作ノブ１０の揺動操作時の操作負荷となる。なお、この付勢力Ｆは、指等による揺動操作の際の操作負荷を低減するように、自動復帰力を維持しつつ、小さな付勢力に設定するのが好ましい。
【００３５】
（組み込み動作）
図３（ａ）から図３（ｃ）は、図２（ａ）におけるＣ部領域を示し、操作ノブをスイッチ本体部へ組み込む工程を順に示すもので、図３（ａ）は、操作ノブの穴部とスイッチ本体部の円筒突起部が、組み込み開始端部側で当接を開始した状態の図２（ａ）におけるＤ部部分断面図であり、図３（ｂ）は、操作ノブの穴部とスイッチ本体部の円筒突起部の組み込み途中状態の部分断面図であり、図３（ｃ）は、操作ノブの穴部とスイッチ本体部の円筒突起部が、組み込み終了端部側で当接した状態の部分断面図である。
【００３６】
図３（ａ）に示すように、操作ノブ１０を上方から下方のスイッチ本体部３０に向かって組み込み開始をすると、まず、第１支持部１２の傾斜面１２ｂが第２支持部３１の円筒突起部３１ａの傾斜面３１ｂに当接する。これにより、第２支持部３１は、弾性変形してＧ方向に撓み始める。
【００３７】
さらに、操作ノブ１０をスイッチ本体部３０に向かって組み込むと、図３（ｂ）に示すように、第２支持部３１は、弾性変形してＧ方向に大きく撓む。
【００３８】
図３（ｃ）に示すように、組み込み終了直前においては、嵌合穴１２ａの角部１２ｃが面取りＣＨに当接する。この当接状態において、面取りＣＨは、干渉緩和部として機能するので、嵌合穴１２ａの角部１２ｃによる削れ作用、又はバリの発生は緩和されることになる。
【００３９】
図３（ｃ）に示す組み込み終了直前の状態を経て、図２（ａ）、（ｃ）に示した、円筒突起部３１ａと嵌合穴１２ａが回転可能に嵌合した状態となる。これにより、操作ノブ１０をスイッチ本体部３０に組み込む工程が終了する。
【００４０】
（操作ノブ１０のスイッチ動作）
上記のように操作ノブ１０がスイッチ本体部３０に組み込まれた図２（ａ）の状態において、操作ノブ１０のスイッチ駆動部１３の先端部１３ａは、スイッチ本体部３０の内部３０ａに設けられた接触端子駆動部材（図示省略）と係合している。これにより、操作ノブ１０を指等により図１で示すＤ方向に揺動操作すると、接触端子駆動部材が連動して、スイッチ接点を駆動して、スイッチのオンオフ等の動作を行なうことができる。
【００４１】
操作ノブ１０の揺動操作を終了すると、バネ５１の付勢力Ｆにより、操作ノブ１０は中立位置に自動復帰する。
【００４２】
上記説明した、図３（ｃ）に示す組み込み終了直前において、嵌合穴１２ａの角部１２ｃと面取りＣＨとの干渉による削れ、バリの発生は抑制されるので、円筒突起部３１ａと嵌合穴１２ａが回転可能に嵌合した状態は維持され、操作ノブ１０の揺動操作時の操作性は維持される。
【００４３】
また、嵌合穴１２ａの角部１２ｃと面取りＣＨとの干渉による削れ、バリの発生が生じても、円筒突起部３１ａの面取りＣＨにより、その影響が緩和される。これにより、円筒突起部３１ａと嵌合穴１２ａとの回転可能な嵌合状態は維持され、操作ノブ１０の揺動操作時の操作性は維持される。
【００４４】
特に、前述したように、バネ５１の付勢力Ｆは、指等による揺動操作の際の操作負荷を低減するために小さな付勢力とするのが好ましいが、このような状態では中立位置への自動復帰力が小さい。したがって、干渉緩和部としての面取りＣＨによる、削れ、バリの発生の抑制、また、削れ、バリの発生が生じた場合のその影響の緩和の効果は大きい。
【００４５】
（本発明の実施の形態の効果）
本発明の実施の形態に係るスイッチ装置によれば、以下のような効果を有する。
（１）本実施の形態に係るスイッチ装置１は、第１嵌合部を有する第１支持部１２を備え、第１嵌合部を回転中心として揺動操作が可能な操作ノブ１０と、第１嵌合部と嵌合して操作ノブ１０を回転支持する第２嵌合部を備えた第２支持部３１を有するスイッチ本体部３０と、を有し、第１支持部１２又は第２支持部３１は、スイッチ本体部３０に組み込む際に弾性変形可能とされ、また、第１嵌合部又は第２嵌合部の組み込み終了端部側の角部に干渉緩和部を有して構成されている。操作ノブ１０をスイッチ本体部３０に組み込む工程において、第２支持部３１を弾性変形により撓ませながら組み込んでいく。組み込み終了直前においては、嵌合穴１２ａの角部１２ｃが面取りＣＨに当接するが、面取りＣＨは、干渉緩和部として機能するので、嵌合穴１２ａの角部１２ｃによる削れ作用、又はバリの発生は緩和されることになる。
（２）また、嵌合穴１２ａの角部１２ｃと面取りＣＨとの干渉による削れ、バリの発生が生じても、円筒突起部３１ａの面取りＣＨにより、その影響が緩和される。すなわち、削れ、バリの発生が生じても、スイッチ操作時の負荷抵抗の増加が抑制される。これにより、円筒突起部３１ａと嵌合穴１２ａとの回転可能な嵌合状態は維持され、操作ノブ１０の揺動操作時の操作感は維持される。
（３）また、組み込み時に削れ、バリが発生すると円筒突起部３１ａと嵌合穴１２ａの嵌合状態（すきまばめ）が変化して、操作感が低下する。しかし、本実施の形態では、干渉緩和部として面取りＣＨを備えるので、削れ作用、又はバリの発生は緩和される。これにより、操作ノブ１０を揺動操作する際の操作負荷を低減する構成、すなわち、バネ５１の付勢力Ｆを小さく設定する構成であっても、操作感を維持することができるスイッチ装置を提供することが可能となる。
【００４６】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。
【００４７】
例えば、第１嵌合部は、操作ノブ１０に備えられた第１支持部に形成された穴部、この第１嵌合部と嵌合して操作ノブを回転支持する第２嵌合部を円筒突起部としたが、第１嵌合部は、操作ノブ１０に備えられた第１支持部に形成された円筒突起部で、第２嵌合部は、穴部とする構成であってもよい。
【００４８】
また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４９】
１…スイッチ装置
１０…操作ノブ
１１…ノブ本体
１１ａ…ノブ上部
１１ｂ…外側面
１１ｃ…中央側面
１１ｄ…係止穴
１２…第１支持部
１２ａ…嵌合穴
１２ｂ…傾斜面
１２ｃ…角部
１３…スイッチ駆動部
１３ａ…先端部
２０…操作ノブ
３０…スイッチ本体部
３０ａ…内部
３０ｂ…上部
３１…第２支持部
３１ａ…円筒突起部
３１ｂ…傾斜面
５０…バネ支持部材
５１…バネ
５１ａ…上端
５１ｂ…下端
ＣＬ…回転軸
ＣＳ…対称軸
Ｅ１…組み込み開始端部
Ｅ２…組み込み終了端部
ＣＨ…面取り
Ｆ…付勢力
【図１】
2018081825.tif 000003
【図２】
2018081825.tif 000004
【図３】
2018081825.tif 000005
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
第１嵌合部を有する第１支持部を備え、前記第１嵌合部を回転中心として揺動操作が可能な操作ノブと、
前記第１嵌合部と嵌合して前記操作ノブを回転支持する第２嵌合部を備えた第２支持部を有するスイッチ本体部と、を有し、
前記第１支持部又は前記第２支持部は、前記スイッチ本体部に組み込む際に弾性変形可能とされ、また、前記第１嵌合部又は前記第２嵌合部の組み込み終了端部側の角部に、前記スイッチ本体部に組み込む際には当接することなく組み込み終了直前に当接する干渉緩和部を有する、ことを特徴とするスイッチ装置。
【請求項２】
前記干渉緩和部は、前記角部に施す面取り部である、ことを特徴とする請求項１に記載のスイッチ装置。
【請求項３】
前記操作ノブは、前記スイッチ本体部から、前記第１嵌合部と前記第２嵌合部が組み込み終了端部側で当接する付勢力を付与されている、ことを特徴とする請求項１又は２に記載のスイッチ装置。
【請求項４】
前記第１嵌合部は、穴部であり、前記第２嵌合部は、円筒突起部である、ことを特徴とする請求項１から３のいずれか１項に記載のスイッチ装置。